(57)【要約】【課題】２本の雄ねじ軸の軸線方向の外力だけでなく、中心軸線回りの回転力に対しても強固に結合することができ、しかも構造が簡単で、容易に連結作業を行うことができるようにした、２本の雄ねじ軸の連結構造を提供する。【解決手段】外径とねじピッチとを同一とし、かつ一直線状に配設した２本の雄ねじ軸１１、１２の対向端面に、中心軸線Ｌ回りの回転方向に互いに当接する当接面１３ａ、１４ａを有し、かつ互いに補形をなす凸部１３と凹部１４とを対向させて設け、両雄ねじ軸１１、１２の外周面に形成したねじ山１１ａ、１２ａが互いに連続し、かつ凸部１３と凹部１４とが互いに嵌合するようにして、両雄ねじ軸１１、１２の対向端面同士を突き合わせ、かつ両雄ねじ軸１１、１２に、その突き合わせ部分に跨がるように、雌ねじ筒１５を螺合する。【選択図】  図１
2017172637.tif 000002
【特許請求の範囲】
【請求項１】
外径とねじピッチとを同一とし、かつ一直線状に配設した２本の雄ねじ軸の対向端面に、中心軸線回りの回転方向に互いに当接する当接面を有し、かつ互いに補形をなす凸部と凹部とを対向させて設け、前記両雄ねじ軸の外周面に形成したねじ山が互いに連続し、かつ前記凸部と凹部とが互いに嵌合するようにして、前記両雄ねじ軸の対向端面同士を突き合わせ、かつ両雄ねじ軸に、その突き合わせ部分に跨がるように、雌ねじ筒を螺合したことを特徴とする、２本の雄ねじ軸の連結構造。
【請求項２】
雌ねじ筒を、いずれか一方の雄ねじ軸に回り止めする回り止め手段を設けたことを特徴とする請求項１記載の、２本の雄ねじ軸の連結構造。
【請求項３】
回り止め手段を、雌ねじ筒に設けた半径方向を向く雌ねじ孔に螺合し、かつ先端がいずれか一方の雄ねじ軸の外周面に圧接するか、またはいずれか一方の雄ねじ軸の外周面に設けた係合孔に嵌合するようにした止めねじとしたことを特徴とする請求項２記載の、２本の雄ねじ軸の連結構造。
【請求項４】
２本の雄ねじ軸の対向端部に、それらの中心軸線と直交し、かつ互いに嵌合している凸部と凹部とを貫通するピン孔を設け、このピン孔にピンを嵌合したことを特徴とする請求項１〜３のいずれかに記載の、２本の雄ねじ軸の連結構造。
【請求項５】
２本の雄ねじ軸の対向端面のいずれか一方の中央に、基端から先端までの突出量を凸部の基端から先端までの突出量より大とした先尖状の突軸を設け、かつそれに対向する端面の中央に、前記突軸が嵌合しうる嵌合孔を設けたことを特徴とする請求項１〜４のいずれかに記載の、２本の雄ねじ軸の連結構造。
【請求項６】
２本の軸の端部に、外径とねじピッチとを同一とした雄ねじ軸をそれぞれ設け、前記両軸を互いに一直線状に配設して突き合わせ、その突き合わせた２本の雄ねじ軸を、請求項１〜５のいずれかに記載の、２本の雄ねじ軸の連結構造をもって連結したことを特徴とする２本の軸の連結構造。
【発明の詳細な説明】
【技術分野】
【０００１】
本発明は、２本の雄ねじ軸の連結構造、およびそれを使用した２本の軸の連結構造に関する。
【背景技術】
【０００２】
２本の雄ねじ軸を一直線状に連結する従来の連結構造としては、例えば、一直線状に並べた２本の雄ねじ軸の対向端面のいずれか一方に小径のねじ孔、同じく他方に小径のねじ軸を設け、それらを互いに螺合させるようにしたもの(例えば特許文献１参照)、２本の雄ねじ軸の端面同士を互いに突き合わせ、それらの突き合わせ部分を跨ぐように、内面に両雄ねじ軸の雄ねじと同一ピッチの雌ねじを設けた筒形カプラーを螺合させるようにしたもの(例えば特許文献２参照)、２本の雄ねじ軸の端面同士を互いに突き合わせ、それらの突き合わせ部分を、内面に両雄ねじ軸の雄ねじと同一ピッチの雌ねじを設けた半割とした円筒ねじにより挟み、さらにこの円筒ねじの外周面に設けた雄ねじに、ナットを螺合させるようにしたもの(例えば特許文献３参照)等がある。
【先行技術文献】
【特許文献】
【０００３】
【特許文献１】実公昭１３−３８１７号公報
【特許文献２】特開２０１４−１５７２８号公報
【特許文献３】特開２００１−２２０８５９号公報
【発明の概要】
【発明が解決しようとする課題】
【０００４】
しかし、特許文献１〜３に記載されているものは、いずれも、２本の雄ねじ軸の軸線方向に係る力に対しては、強固に結合されているが、両雄ねじ軸の中心軸線まわりにトルクが作用したときは、一方の雄ねじ軸が、他方の雄ねじ軸または筒形カプラー(特許文献２)や円筒ねじ(特許文献３)に対して緩み方向に回転し、脱落するおそれがある。
したがって、上述のような従来の２本の軸の連結構造は、例えば、中心軸線回りに回転トルクが作用する、水力発電装置における導水管内に配設する複数のロータの回転軸同士等を連結する連結構造としては、好ましくない。
【０００５】
本発明は、従来の技術が有する上記のような問題点に鑑み、２本の雄ねじ軸の軸線方向の外力だけでなく、中心軸線回りの回転力に対しても強固に結合することができ、しかも構造が簡単で、容易に連結作業を行うことができるようにした、２本の雄ねじ軸の連結構造、およびそれを使用した２本の軸の連結構造を提供することを目的としている。
【課題を解決するための手段】
【０００６】
本発明によると、上記課題は、次のようにして解決される。
(１)  ２本の雄ねじ軸の連結構造において、外径とねじピッチとを同一とし、かつ一直線状に配設した２本の雄ねじ軸の対向端面に、中心軸線回りの回転方向に互いに当接する当接面を有し、かつ互いに補形をなす凸部と凹部とを対向させて設け、前記両雄ねじ軸の外周面に形成したねじ山が互いに連続し、かつ前記凸部と凹部とが互いに嵌合するようにして、前記両雄ねじ軸の対向端面同士を突き合わせ、かつ両雄ねじ軸に、その突き合わせ部分に跨がるように、雌ねじ筒を螺合したことを特徴とする、２本の雄ねじ軸の連結構造。
【０００７】
このような構成によると、両雄ねじ軸の外周面に形成したねじ山が雌ねじ筒に螺合しているので、両雄ねじ軸は、軸線方向の外力に対して強固に結合されるだけでなく、両雄ねじ軸の対向端面に形成した凸部と凹部とが互いに嵌合し、かつそれらの当接面が、中心軸線回りの回転方向に互いに当接するので、中心軸線回りの回転力に対しても強固に結合される。
しかも、２本の雄ねじ軸の対向端面に、凸部や凹部を形成し、それらを突き合わせて、両雄ねじ軸に、雌ねじ筒を、突き合わせ部分に跨がるように螺合させるだけでよいので、構造が簡単で、容易に連結作業を行うことができる。
【０００８】
(２)  上記(１)項において、雌ねじ筒を、いずれか一方の雄ねじ軸に回り止めする回り止め手段を設ける。
【０００９】
このような構成によると、雌ねじ筒は、回り止め手段により一方の雄ねじ軸に回り止めされることによって、結果的に他方の雄ねじ軸に対しても回り止めされ、雌ねじ筒が両雄ねじ軸から外れたり、両雄ねじ軸の結合が解かれたりするのを防止することができる。
【００１０】
(３)  上記(２)項において、回り止め手段を、雌ねじ筒に設けた半径方向を向く雌ねじ孔に螺合し、かつ先端がいずれか一方の雄ねじ軸の外周面に圧接するか、またはいずれか一方の雄ねじ軸の外周面に設けた係合孔に嵌合するようにした止めねじとする。
【００１１】
このような構成によると、回り止め手段の構造を簡素化することができる。
【００１２】
(４)  上記(１)〜(３)項のいずれかにおいて、２本の雄ねじ軸の対向端部に、それらの中心軸線と直交し、かつ互いに嵌合している凸部と凹部とを貫通するピン孔を設け、このピン孔にピンを嵌合する。
【００１３】
このような構成によると、２本の雄ねじ軸は、雌ねじ筒による結合だけでなく、ピンによっても結合され、この２重の結合手段によって、強固に結合される。
【００１４】
(５)  上記(１)〜(４)項のいずれかにおいて、２本の雄ねじ軸の対向端面のいずれか一方の中央に、基端から先端までの突出量を凸部の基端から先端までの突出量より大とした先尖状の突軸を設け、かつそれに対向する端面の中央に、前記突軸が嵌合しうる嵌合孔を設ける。
【００１５】
このような構成によると、２本の雄ねじ軸の対向端面を突き合わせる際に、先尖状の突軸を嵌合孔に差し込むことにより、両雄ねじ軸の芯合わせが簡単に行われ、その後、一方の雄ねじ軸を、他方の雄ねじ軸に対して、中心軸線回りに回転させることにより、凸部と凹部とを簡単に嵌合させることができる。
【００１６】
(６)  ２本の軸の連結構造において、２本の軸の端部に、外径とねじピッチとを同一とした雄ねじ軸をそれぞれ設け、前記両軸を互いに一直線状に配設して突き合わせ、その突き合わせた２本の雄ねじ軸を、上記(１)〜(５)項のいずれかに記載の、２本の雄ねじ軸の連結構造をもって連結する。
【００１７】
このような構成によると、２本の軸を、中心軸線方向の外力だけでなく、中心軸線回りの回転方向の外力に対しても強固に結合することができるとともに、構造が簡単で、容易に連結作業を行うことができる連結構造を提供することができる。
【発明の効果】
【００１８】
本発明によると、２本の雄ねじ軸の軸線方向の外力だけでなく、中心軸線回りの回転力に対しても強固に結合することができ、しかも構造が簡単で、容易に連結作業を行うことができるようにした、２本の雄ねじ軸の連結構造、およびそれを使用した２本の軸の連結構造を提供することができる。
【図面の簡単な説明】
【００１９】
【図１】本発明の第１の実施形態の一部を破断して示す中央縦断正面図である。
【図２】同じく、２本の軸の連結部分を分解したときの中央縦断正面図である。
【図３】本発明の第２の実施形態における２本の雄ねじ軸の対向端部の形状を示す分解斜視図である。
【図４】同じく、２本の雄ねじ軸の連結途中の状況を示す中央横断平面図である。
【図５】本発明の第１の実施形態を使用して、複数の軸を連結した水車の一部の中央縦断正面図である。
【図６】図５のVII−VII線における拡大縦断側面図である。
【図７】図５に示す水車の一部における連結前の状態を示す縦断側面図である。
【発明を実施するための形態】
【００２０】
図１および図２は、本発明の２本の軸の連結構造の第１の実施形態を示す。
この実施形態は、後述する本発明の使用例である水車において、主軸８と追加軸９とした２本の軸６、６を一直線状に連結する連結手段１０に適用したものである。
【００２１】
連結手段１０は、図１に示すように、一直線状に配設した２本の軸(主軸８と追加軸９)６、６の対向端部に、外径とねじピッチとを同一とした雄ねじ軸１１、１２をそれぞれ設け、両雄ねじ軸１１、１２の対向端面に、中心軸線Ｌ回りの回転方向に互いに当接する当接面１３ａ、１４ａを有し、かつ互いに補形をなす凸部１３と凹部１４とを対向させて設け、両雄ねじ軸１１、１２の外周面に形成したねじ山１１ａ、１２ａが互いに連続し、かつ凸部１３と凹部１４とが互いに嵌合するようにして、両雄ねじ軸１１、１２の対向端面同士を突き合わせた状態で、両雄ねじ軸１１、１２の突き合わせ部分に跨がるように、雌ねじ筒１５を螺合させたものとしてある。
雌ねじ筒１５の内面には、両雄ねじ軸１１、１２のねじ山１１ａ、１２ａと螺合する雌ねじが刻設されていることはいうまでもない。
【００２２】
この例では、両雄ねじ軸１１、１２の対向端面は、それぞれが凸部１３と凹部１４とを有する同一形状としてある。
【００２３】
雌ねじ筒１５の一側部には、半径方向を向く雌ねじ孔１６が設けられており、それに対応する一方の雄ねじ軸１１の外周面には、係合孔１７が設けられている。
図２に示すように、雌ねじ孔１６と係合孔１７とが互いに整合した状態で、雌ねじ孔１６に螺合した止めねじ１８の先端部を、上記係合孔１７に嵌合させることにより、雌ねじ筒１５は、一方の雄ねじ軸１１に回り止めされている。
また、雄ねじ軸１２は、凸部１３と凹部１４とが互いに嵌合していることにより、雄ねじ軸１１に対して回り止めされ、かつ外周のねじ山１２ａが雌ねじ筒１５に螺合していることにより、結果的に、雌ねじ筒１５は、他方の雄ねじ軸１２にも回り止めされている。
【００２４】
この雌ねじ孔１６、係合孔１７および止めねじ１８により、雌ねじ筒１５を、いずれか一方の雄ねじ軸１１に回り止めする回り止め手段１９が形成され、この回り止め手段１９によって、雌ねじ筒１５が両雄ねじ軸１１、１２から外れたり、両雄ねじ軸１１、１２の結合が解かれたりするのを防止することができる。
【００２５】
なお、係合孔１７を省略し、止めねじ１８の先端を、雄ねじ軸１１の外周面に圧接させて、雌ねじ筒１５の回り止めを図ることもある。
【００２６】
図１および図２に破線で示すように、２個の雄ねじ軸１１、１２の対向端部には、それらの中心軸線Ｌと直交し、かつ互いに嵌合している凸部１３と凹部１４とを貫通するピン孔２０が設けられ、このピン孔２０にピン２１を嵌合することにより、２個の雄ねじ軸１１、１２は、雌ねじ筒１５による結合だけでなく、ピン２１によっても互いに結合され、この２重の結合手段によって、２個の軸６、６は強固に結合されている。
【００２７】
第１の実施形態によると、両雄ねじ軸１１、１２の外周面に形成したねじ山１１ａ、１２ａが雌ねじ筒１５に螺合しているので、両雄ねじ軸１１、１２は、軸線方向の外力に対して強固に結合されるだけでなく、両雄ねじ軸１１、１２の対向端面に形成した凸部１３と凹部１４とが互いに嵌合し、かつそれらの当接面１３ａ、１４ａが、中心軸線Ｌ回りの回転方向に互いに当接するので、中心軸線Ｌ回りの回転力に対しても強固に結合される。
しかも、２本の雄ねじ軸１１、１２の対向端面に、凸部１３や凹部１４を形成し、それらを突き合わせて、両雄ねじ軸１１、１２に、雌ねじ筒１５を、突き合わせ部分に跨がるように螺合させるだけでよいので、構造が簡単で、容易に連結作業を行うことができる。
【００２８】
図３および図４は、本発明の第２の実施形態を示す。なお、上記第１の実施形態におけるのと同一または類似の部材には、同一の符号を付して図示するに止め、それらについての詳細な説明は省略する。
この連結手段３０、すなわち２本の雄ねじ軸１１、１２の連結構造においては、２個の雄ねじ軸１１、１２の対向端面のいずれか一方、この例では雄ねじ軸１１の端面の中央に、直径方向を向く直方形の凸部３１と、その先端面の中央に突設した先尖状の突軸３２とを設け、かつ他方の雄ねじ軸１２の端面に、上記凸部３１と補形をなす凹部３３と、内径を突軸３２の外径と同一かまたはわずかに大とすることにより、突軸３２が嵌合しうるようにした嵌合孔３４とを設けてある。
【００２９】
突軸３２の基端から先端までの突出量Ｔ１は、凸部３１の基端から先端までの突出量Ｔ２より大としてある。
【００３０】
したがって、２個の雄ねじ軸１１、１２の対向端面を突き合わせる際に、先尖状の突軸３２を嵌合孔３４に差し込むことにより、両雄ねじ軸１１、１２の芯合わせが簡単に行われ、その後、一方の雄ねじ軸１２を、他方の雄ねじ軸１１に対して、中心軸線Ｌ回りに回転させることにより、凸部３１と凹部３３とを簡単に嵌合させることができる。
【００３１】
両雄ねじ軸１１、１２の対向端面を互いに突き合わせた後、図１における雌ねじ筒１５と同様のものを、両雄ねじ軸１１、１２の突き合わせ部分に跨がるように螺合させることは、第１の実施形態と同様であるので、その詳細な説明は省略する。
【００３２】
図５〜図７は、図１および図２に示す本発明の第１の実施形態を、水車における主軸８と追加軸９との連結手段１０に使用した使用例を示す。
【００３３】
この水車は、導水管Ａの一部を構成する一直線状に連結した左右方向を向く円筒形の複数のユニット管１を備えている。
各ユニット管１は、両端に外向きフランジ１ａを有している。
【００３４】
互いに隣接する１対のユニット管１、１は、互いに対向する外向きフランジ１ａ、１ａを、円板状の端板２の外周部の左右の表面に当接させ、両外向きフランジ１ａ、１ａ間に端板２を挾んだ状態で、それらを貫通する複数のボルト３と、それに螺合するナット４とをもって締着することにより連結されている。
【００３５】
各端板２の中心部には、玉軸受またはころ軸受とした軸受５を設けた軸受部２ａが形成され、その外周部には、扇形またはその他の形状とした複数の通水部２ｂが形成されている。
また、各端板２の左右の表面、またはその一方の表面のみ(一連のユニット管１の最も外側に配設する端板２において)には、ユニット管１の内孔１ｂに嵌合する短寸の嵌合部２ｃが設けられている。
【００３６】
各端板２の軸受５には、左右方向を向く軸６が枢支されている。
軸６は、この例では、具体的には中間部にロータ７を一体的に設けた主軸８と、中間部にロータ７を一体的に設けた１または複数の追加軸９とであり、その端部同士を突き合わせて、第１の実施形態における連結手段１０をもって互いに一直線状に連結されてる。
【００３７】
主軸８は、ロータ７を挾む左右２箇所を、互いに隣接する１対の端板２、２の中心における軸受５、５によって回転自在に支持され、追加軸９は、１個の端板２の中心における軸受５のみによって支持されているが、その追加軸９に設けられたロータ７は、追加軸９が連結手段１０をもって、主軸８または他の追加軸９に連結されていることにより、互いに隣接する１対の端板２、２の軸受５、５をもって両持ち支持されている。
【００３８】
ロータ７は、主軸８または追加軸９に固着されたハブ７ａの外周に、複数のブレード７ｂを、その先端の傾斜部７ｃを上流側(図５における左方)へ向けて固定して形成されている。
【００３９】
連結手段１０は、上述したとおりのものであり、これによって、主軸８と追加軸９、および追加軸９、９同士は、中心軸線Ｌ方向だけでなく、中心軸線Ｌ回りの回転方向に対しても、互いに強固に連結されている。
【００４０】
この水車において、水を、導水管Ａ内に、図５の左方から右方に向けて流通させると、そのときの水流により、各ロータ７が回転させられ、そのときの回転力が、主軸８を介して、図示を省略した水力利用手段、例えば水力発電装置におけるタービン(図示略)等に伝達され、動力源として利用される。
【００４１】
次に、ユニット管１、およびロータ７と一体の追加軸９を継ぎ足す際の要領について説明する。
【００４２】
図５に示す右方の第１のユニット管１の右端に、最も右側の第１の端板２を固着し、その端板２の中央の軸受５に、主軸８の右端部を嵌合して枢支させ、かつ主軸８の左端部を、第２の端板２の中央における軸受５に嵌合し、主軸８の左端部が第２の端板２の左方に突出するようにして、第２の端板２を、第１のユニット管１の左端に仮止めする。
【００４３】
次に、図７に示すように、第２のユニット管１の左端部に第３の端板２を仮止めし、その中央の軸受５に、第１の追加軸９の左端に仮結合しておいた補助軸２２を嵌合して枢支し、かつ第１の追加軸９の右端が第２のユニット管１の右端より右方に突出するようにして、第１の追加軸９の右端近傍を、第２のユニット管１の右端部内に配設した治具２３によって、第２のユニット管１の中心に位置するようにして支持しておく。
【００４４】
第１の追加軸９の左端には、主軸８の左端に設けた雄ねじ軸１１と同一とした雄ねじ軸１１が設けられており、補助軸２２の右端には、雄ねじ軸１１の端面と補形をなす端面、すなわち、雄ねじ軸１２の右端面と同一とした端面が形成されており、その端面を第１の追加軸９の左端面に圧嵌することにより、補助軸２２は第１の追加軸９の左端に仮結合されるようになっている。
【００４５】
次に、図１および図２に示すように、互いに対向する主軸８の左端に設けた雄ねじ軸１１と、第１の追加軸９の右端に設けた雄ねじ軸１２とのいずれか一方(図示の例では雄ねじ軸１１側)に雌ねじ筒１５を螺合しておき、その後、第１の追加軸９、第２のユニット管１、第３の端板２、補助軸２２、および治具２３を一体として右方に移動し、第１の追加軸９の右端に設けた雄ねじ軸１２の右端面を、凸部１３と凹部１４とが互いに嵌合するようにして、主軸８の左端に設けた雄ねじ軸１１の左端面に突き合わせ、凸部１３と凹部１４とが互いに完全に嵌合した状態で、ピン孔２０にピン２１を嵌合して、両雄ねじ軸１１、１２を、ピン２１をもって連結する。
【００４６】
その後、雌ねじ筒１５を左方に向けて螺進させ、雌ねじ筒１５が、雌ねじ孔１６と係合孔１７とが整合する位置まで達すると、雌ねじ筒１５の螺進を停止し、雌ねじ孔１６に螺合した止めねじ１８の先端部を、係合孔１７に嵌合させることにより、雌ねじ筒１５を右方の雄ねじ軸１１に回り止めする。
【００４７】
この主軸８と第１の追加軸９との連結作業は、第１のユニット管１と第２のユニット管１との間に形成された間隙を利用して行うことができる。
【００４８】
主軸８と第１の追加軸９との連結作業が終了した後、治具２３を第２のユニット管１から外し、その後、第２のユニット管１と、それに仮止めされた第３の端板２とを、第１の追加軸９および補助軸２２と平行に右進し、第１の追加軸９の左端部が、第３の端板２の軸受５を貫通して、左方に突出した後、補助軸２２を第１の追加軸９から外すとともに、第２のユニット管１の右端の外向きフランジ１ａが第２の端板２の左端面に当接した後、その外向きフランジ１ａと、第１のユニット管１の左端の外向きフランジ１ａとを、その間に第２の端板２挟んで、ボルト３およびナット４をもって互いに結合する。
【００４９】
その後、第３以後のユニット管１と、第２以後の追加軸９とを、上記と同様にして、順次継ぎ足すことができる。
【００５０】
このような構成によると、水車ユニットＢを、導水管Ａの一部として組み込むことにより、導水管Ａの任意の場所に水車を簡単に設けることができるだけでなく、既存の導水管Ａの一部を切除し、それに代えて、水車ユニットＢを切除部分に直列に配設して接続するだけで、既存の導水管Ａの任意の場所にも、水車を簡単に設けることができ、しかも、ロータ７を挾む１対の端板により、ロータ７を、安定よく支持することができるとともに、ロータ７を挾む１対の端板２が、ユニット管１のための補強材として作用し、ユニット管１が外力により変形するのを阻止することができる。
【００５１】
図７に示す第１の追加軸９の左端に設けた雄ねじ軸１１の左端面と、補助軸２２の右端面との関係を、図３および図４に示す本発明の第２の実施形態における２本の雄ねじ軸１１、１２の対向端部の関係と同様とすると、補助軸２２を第２の追加軸９の左端に仮結合したときの、補助軸２２が第１の追加軸９の左端から脱落するおそれがより少なくなる。
【００５２】
本発明は、上記第１および第２の実施形態のみに限定されるものではなく、特許請求の範囲を逸脱することなく、幾多の変形した態様での実施が可能である。
例えば、回り止め手段１９を、止めねじ１８に代えて、図１および図２に２点鎖線で示すように、雄ねじ軸１１、１２のいずれかに螺合するロックナット３５とし、図１に示すように、両雄ねじ軸１１、１２の対向端面同士を突き合わせた状態で、両雄ねじ軸１１、１２の突き合わせ部分に跨がるように、雌ねじ筒１５を螺合させた後、ロックナット３５を雌ねじ筒１５に圧接させるようにしてもよい。
また、止めねじ１８とロックナット３５とを併用すると、雌ねじ筒１５を、より確実に回り止めすることができる。
【産業上の利用可能性】
【００５３】
本発明は、上記の使用例のような、水力発電装置における水車だけでなく、２本の雄ねじ軸同士、または２本の軸同士を連結するあらゆる連結構造に適用することができる。
【符号の説明】
【００５４】
１  ユニット管
１ａ外向きフランジ
１ｂ内孔
２  端板
２ａ軸受部
２ｂ通水部
２ｃ嵌合部
３  ボルト
４  ナット
５  軸受
６  軸
７  ロータ
７ａハブ
７ｂブレード
７ｃ傾斜部
８  主軸
９  追加軸
１０  連結手段
１１、１２  雄ねじ軸
１１ａ、１２ａ  ねじ山
１３  凸部
１３ａ当接面
１４  凹部
１４ａ当接面
１５  雌ねじ筒
１６  雌ねじ孔
１７  係合孔
１８  止めねじ
１９  回り止め手段
２０  ピン孔
２１  ピン
２２  補助軸
２３  治具
３０  連結手段
３１  凸部
３２  突軸
３３  凹部
３４  嵌合孔
３５  ロックナット
Ａ  導水管
Ｂ  水車ユニット
Ｌ  中心軸線
Ｔ１、Ｔ２  突出量
【図１】
2017172637.tif 000003
【図２】
2017172637.tif 000004
【図３】
2017172637.tif 000005
【図４】
2017172637.tif 000006
【図５】
2017172637.tif 000007
【図６】
2017172637.tif 000008
【図７】
2017172637.tif 000009